(57)【特許請求の範囲】
【請求項１】
顧客が使用する貨幣投入排出部を有する釣銭機と、載置板に載置可能で、前記貨幣投入排出部が第１側面に表出した状態で前記釣銭機が収納される筐体と、を備える釣銭機ユニットと、
店員が操作に用いる入力デバイスを少なくとも有し、前記第１側面とは異なる前記筐体の第２側面側に位置する店員により前記入力デバイスの操作が行えるように前記筐体の上面に取り付けられる操作ユニットとを備え、
前記筐体の上面の前記第２側面寄りにおいて物品が置かれる物品載置面部が形成されるように、前記操作ユニットが前記筐体の上面の前記第１側面寄りに配置される
レジスタ。
【請求項２】
顧客が使用する貨幣投入排出部を有する釣銭機と、載置板に載置可能で、前記貨幣投入排出部が第１側面に表出した状態で前記釣銭機が収納される筐体と、を備える釣銭機ユニットと、
店員が操作に用いる入力デバイスを少なくとも有し、前記第１側面とは異なる前記筐体の第２側面側に位置する店員により前記入力デバイスの操作が行えるように前記筐体の上面に取り付けられる操作ユニットとを備え、
前記筐体の上面において、前記操作ユニットから引き出されたケーブルを通すケーブル用孔部が形成される
レジスタ。
【請求項３】
前記筐体の上面において、前記操作ユニットから引き出されたケーブルを通すケーブル用孔部が形成される
請求項１に記載のレジスタ。
【請求項４】
前記筐体の第２側面は、前記ケーブルが通る開口部を有し、
前記筐体の第２側面において、前記開口部以外の部分を塞ぐ蓋部が設けられる
請求項２または３に記載のレジスタ。
【請求項５】
前記筐体に固定される移動制限部材であって、前記載置板に載置された状態の筐体の移動を制限する移動制限部材をさらに備える
請求項１から４のいずれか一項に記載のレジスタ。
【発明の詳細な説明】
【技術分野】
【０００１】
本発明は、レジスタに関する。
【背景技術】
【０００２】
テーブルの下に釣銭機を配置し、テーブルの上にキーボードと固定型スキャナとドロワとを取り付けて構成した商品販売登録データ処理装置が知られている（例えば、特許文献１参照）。この商品販売登録データ処理装置は、例えば顧客が立つ側において、釣銭としての貨幣が排出される札出口とコイン出口が設けられており、店員と顧客とが対面して取引を行う場合に用いられる対面式のレジスタとして構成されている。
【先行技術文献】
【特許文献】
【０００３】
【特許文献１】特開平６−２６６９６１号公報
【発明の概要】
【発明が解決しようとする課題】
【０００４】
対面式のレジスタは、例えば上記の商品販売登録データ処理装置における札出口とコイン出口のように、現金収受に関する部位を顧客が立つ側に設けるように構成することができる。これにより、上記の商品販売登録データ処理装置の場合であれば、札出口とコイン出口から排出された釣銭を顧客に受け取ってもらうことができるので、店員は、顧客に釣銭を手渡す作業を行う必要がないといった利点を有する。
このため、対面式で取引をしている店舗では、上記のように対面式のレジスタについて、現金収受に関する部位を顧客が立つ側に設けたタイプのものに交換したいといった要望もでてくると考えられる。
【０００５】
しかし、上記の商品販売登録データ処理装置をはじめ、レジスタはカウンタなどに組み込まれるものであるために、レジスタの交換にあたっては比較的大がかりな工事が必要になってしまう。このために、例えば工事時間の確保の問題や工事費用のコストの問題などで、顧客が立つ側に現金収受に関する部位が設けられたレジスタへの交換が躊躇されてしまうような場合もあると考えられる。
【０００６】
本発明は、このような事情に鑑みてなされたもので、手軽に設置が可能な対面式のレジスタを提供することを目的とする。
【課題を解決するための手段】
【０００７】
上記した課題を解決するための本発明の一態様は、顧客が使用する貨幣投入排出部を有する釣銭機と、載置台に載置可能で、前記貨幣投入排出部が第１側面に表出した状態で前記釣銭機が収納される筐体と、を備える釣銭機ユニットと、店員が操作に用いる入力デバイスを少なくとも有し、前記第１側面とは異なる前記筐体の第２側面側に位置する店員により前記入力デバイスの操作が行えるように前記筐体の上面に取り付けられる操作ユニットとを備えるレジスタである。
【０００８】
上記構成によれば、顧客の立つ位置側に貨幣投入排出部があり、店員の立つ位置側に入力デバイスがあるレジスタが得られる。そして、このようなレジスタを設置するにあたっては、貨幣投入排出部のある釣銭機ユニットを載置板に置くとともに、釣銭機ユニットの上に入力デバイスを備える操作デバイスを取り付けるという作業を行えばよく、手軽に設置を行うことができる。
【０００９】
また、本発明の一態様は上記のレジスタであり、前記筐体に固定される移動制限部材であって、前記載置板に載置された状態の筐体の移動を制限する移動制限部材をさらに備えてもよい。
【００１０】
上記構成によれば、載置板に載置された状態での筐体の移動が制限されるために、載置板に載置された筐体の位置や姿勢を安定させることができる。
【００１１】
また、本発明の一態様は上記のレジスタであり、前記移動制限部材は、前記筐体が前記載置板に載置された状態において、前記第２側面側における前記載置板の下側に係止することで、前記筐体の上方向への移動を制限する第１載置板受部を備えてもよい。
【００１２】
上記構成によれば、筐体から釣銭機本体部を引き出した場合に、筐体の第２側面側が浮き上がるようにして上に移動しないようにすることができる。
【００１３】
また、本発明の一態様は上記のレジスタであり、前記移動制限部材は、前記載置板に載置された状態で前記筐体が前記第２側面の方向に移動されたときには、前記第１載置板受部が前記載置板と係止する位置から外れるように構成されてもよい。
【００１４】
上記構成によれば、前記筐体を前記第２側面の方向に移動させるだけで、移動制限部材の載置板受部が載置板の下側に係止する状態が解除されるために、載置板からのレジスタの取り外しも容易に行うことができる。
【００１５】
また、本発明の一態様は上記のレジスタであり、前記移動制限部材は、前記筐体が前記載置板に載置された状態において、前記第２側面側に位置する前記載置板の側面に係止することで、前記第２側面とは反対の側面の方向への移動を制限する第２載置板受部を備えてもよい。
【００１６】
上記構成によれば、移動制限部材を設けることによって、筐体の第２側面とは反対の側面の方向への筐体の移動を制限することができる。
【００１７】
また、本発明の一態様は上記のレジスタであり、前記筐体の上面の前記第２側面寄りにおいて物品が置かれる物品載置面部が形成されるように、前記操作ユニットが前記筐体の上面の前記第１側面寄りに配置されてもよい。
【００１８】
上記構成によれば、レジスタを操作する店員の手前に形成される物品載置面部に商品などの物品を置くことができるようになるので、店員の作業効率を向上させることができる。
【００１９】
また、本発明の一態様は上記のレジスタであり、前記筐体の上面において、前記操作ユニットから引き出されたケーブルを通すケーブル用孔部が形成されてもよい。
【００２０】
上記構成により、前記操作ユニットから引き出されたケーブルを筐体内に収納できるために、レジスタの周りが煩雑にならず、見栄えをよくすることもできる。
【００２１】
また、本発明の一態様は上記のレジスタであり、前記筐体の第２側面は、前記ケーブルが通る開口部を有してもよい。
【００２２】
上記構成により、店員が位置する側からケーブルを引き出してレジスタ本体部などと接続できるために、顧客からは見えないようにしてケーブルの引き回しを行うことができる。
【００２３】
また、本発明の一態様は上記のレジスタであり、前記筐体の第２側面において、前記開口部以外の部分を塞ぐ蓋部が設けられてもよい。
【００２４】
上記構成により、筐体の第２側面からケーブルを引き出せるようにしたうえで、ケーブルを通すのに必要な部分以外の第２側面を塞ぐようにすることができる。
【発明の効果】
【００２５】
以上説明したように、本発明によれば、手軽に設置が可能な対面式のレジスタを提供することが可能になる。
【図面の簡単な説明】
【００２６】
【図１】本実施形態におけるレジスタの設置状態例を店員の立ち位置側（後方）からみた図である。
【図２】本実施形態におけるレジスタの設置状態例を顧客の立ち位置側（前方）からみた図である。
【図３】図１に示されるレジスタの部分を拡大して示す図である。
【図４】図２に示されるレジスタの部分を拡大して示す図である。
【図５】本実施形態におけるレジスタの構成例を示すブロック図である。
【図６】本実施形態における釣銭機ユニットを前方から見た図である。
【図７】本実施形態における釣銭機ユニットの筐体の上面に操作ユニットが取り付けられた状態を示す側面図である。
【図８】本実施形態における移動制限部材の外観例を示す斜視図である。
【図９】本実施形態における移動制限部材が取り付けられた釣銭機ユニットを後方側から見た斜視図である。
【図１０】蓋部が取り付けられた（閉じられた）状態の本実施形態の釣銭機ユニットを示す斜視図である。
【図１１】テーブルの上面への本実施形態のレジスタの設置が完了した状態例を示す側面図である。
【図１２】レジスタの上方向への移動の制限が解除された状態の本実施形態のレジスタを示す側面図である。
【発明を実施するための形態】
【００２７】
以下、一実施形態としてのレジスタについて説明する。
先ず、図１〜図４を参照して、本実施形態のレジスタのカウンタへの設置状態例について説明する。
図１は、本実施形態のレジスタ１００がカウンタ２００に設置された状態について、レジスタ１００を操作する店員（オペレータ）の立ち位置側から見た斜視図である。
図２は、本実施形態のレジスタ１００がカウンタ２００に設置された状態について、顧客の立ち位置側から見た斜視図である。
図３は、図１に示されるレジスタ１００の部分を拡大して示す図である。
図４は、図２に示されるレジスタ１００の部分を拡大して示す図である。
【００２８】
なお、以降においては、レジスタ１００に対する顧客の立ち位置側をレジスタ１００の前側とし、レジスタ１００に対する店員の立ち位置側をレジスタ１００の後側として説明する場合がある。
【００２９】
図１〜図４に示すように、本実施形態のレジスタ１００は、釣銭機ユニット１０１、操作ユニット１０３、レジスタ本体部１０５、プリンタ１０７及びスキャナ１０９を備える。
釣銭機ユニット１０１は、貨幣投入排出部１２１ａを有する釣銭機と、筐体１１０とを有する。釣銭機は、顧客が精算を行うのに使用される。筐体１１０には、貨幣投入排出部１２１ａが前側面（第１側面の一例）に表出した状態で釣銭機が収納される。
【００３０】
また、筐体１１０は、載置板に載置可能な構造を有する。筐体１１０を載置板に載置可能な構造としては、具体的には、例えば筐体１１０を載置板に置いた場合に、筐体１１０が安定して載置板上で位置することのできるような筐体１１０の底面の形状を有することである。なお、例えば筐体１１０の底面における４つの角部にゴム足などのようなものが設けられた構成も、筐体１１０を載置板に載置可能な構造である。
上記各図の場合、筐体１１０が載置される載置板は、カウンタ２００のテーブル２０３である。
【００３１】
また、筐体１１０における後方の側面（第２側面の一例）の下側には、移動制限部材１４０が設けられている。移動制限部材１４０は、釣銭機ユニット１０１の筐体１１０の上方向への移動を制限する。また、移動制限部材１４０は、さらに、前方への釣銭機ユニット１０１の筐体１１０の移動を制限する。
【００３２】
貨幣投入排出部１２１ａは、顧客が例えば代金の支払いと釣銭の受け取りに使用する部位である。貨幣投入排出部１２１ａには、紙幣投入口、硬貨投入口、紙幣排出口、硬貨排出口が備えられている。
【００３３】
操作ユニット１０３は、店員が操作に用いるタッチパネル表示部１３１（入力デバイスの一例）とキーボード１３２（入力デバイスの一例）とを備える。
タッチパネル表示部１３１とキーボード１３２は、図示するように、操作が行われる部位が店員の立ち位置のほうに向くように設置される。つまり、タッチパネル表示部１３１とキーボード１３２は、レジスタ１００の後側に位置する店員により操作が行えるようにされた向きで配置される。
また、操作ユニット１０３は、顧客用表示部１３３を備える。顧客用表示部１３３は、商品登録の内容や精算処理の結果などを顧客に向けて表示する部位である。顧客用表示部１３３は、同図に示すように、顧客の立ち位置側（前側）に画面が向くように配置される。
【００３４】
操作ユニット１０３は、上記のタッチパネル表示部１３１、キーボード１３２及び顧客用表示部１３３がユニット化（一体化）されて構成される。そして、このようにユニット化された操作ユニット１０３は、筐体１１０の上面に取り付けられる。この際、操作ユニット１０３は、例えば上記各図において示されない所定の部位にてネジ止めされることによって筐体１１０に対して固定される。これにより、操作ユニット１０３は、筐体１１０の上面にて不用意に位置がずれたりすることがない。
【００３５】
また、操作ユニット１０３は、筐体１１０の上面の前方寄り（第１側面寄り）に配置される。これにより、図３に示すように、筐体１１０の上面の後方側には一定以上の面積の何も配置されない面部、即ち、物品載置面部１１５が形成される。物品載置面部１１５は、例えば店員が商品登録の対象とする商品やスキャナ１０９などをはじめとする物品を置く場所として使用される。
【００３６】
レジスタ本体部１０５は、レジスタ１００の中枢となるユニットであり、タッチパネル表示部１３１またはキーボード１３２に対して行われた操作に応じて商品登録や精算に関する各種処理などを実行する。
【００３７】
レジスタ本体部１０５は、釣銭機ユニット１０１における釣銭機の動作の制御を実行する。またレジスタ本体部１０５は、スキャナ１０９が読み取ったバーコードに基づくコードデータを利用して商品登録を行うことができる。また、レジスタ本体部１０５は、プリンタ１０７を制御して、レシートなどを印刷させることができる。
【００３８】
レジスタ本体部１０５は、例えば図１に示されるように、カウンタ２００の台部２０１における店員の立ち位置側に設けられた棚間に設置される。即ち、レジスタ本体部１０５は、顧客からは見えず、また、店員にとって邪魔にならないような場所に設置される。
【００３９】
また、レジスタ本体部１０５と釣銭機ユニット１０１における釣銭機とはケーブルを介して通信可能に接続される。また、レジスタ本体部１０５と操作ユニット１０３とについてもケーブルを介して通信可能に接続される。
図１及び図３においては、筐体１１０における後方側面に位置する開口部１１４から、ケーブルＣＢＬが引き出された状態が示されている。ここでのケーブルＣＢＬは、釣銭機ユニット１０１とレジスタ本体部１０５とを接続するケーブルと、操作ユニット１０３とレジスタ本体部１０５とを接続するケーブルとをまとめて示したものである。
また、プリンタ１０７もケーブルによってレジスタ本体部１０５と接続されればよい。また、スキャナ１０９もケーブルによってレジスタ本体部１０５と接続されればよい。プリンタ１０７とレジスタ本体部１０５とを接続するケーブルと、スキャナ１０９とレジスタ本体部１０５とを接続するケーブルも、ケーブルＣＢＬに含まれるようにまとめられればよい。
そして、図１及び図３に示されるように、開口部１１４から引き出されたケーブルＣＢＬは、図１に示すように、カウンタ２００の店員の立ち位置側においてレジスタ本体部１０５と接続される。このように、釣銭機ユニット１０１及び操作ユニット１０３側とレジスタ本体部１０５とを接続するケーブルＣＢＬも、顧客からは見えない状態で引き回しが行われる。
なお、釣銭機、操作ユニット１０３、プリンタ１０７及びスキャナ１０９のうちの少なくともいずれか１つのレジスタ本体部１０５との通信は、ケーブルに代えて無線によって行われるように構成されてもよい。
【００４０】
上記のようにケーブルＣＢＬが引き出される開口部１１４は、筐体１１０の後方側面において、蓋部１１３により閉じられずに残った部位である。
【００４１】
プリンタ１０７は、前述のように、レジスタ本体部１０５の制御に応じてレシートなどを印刷する。なお、プリンタ１０７により領収書なども印刷できるようにされてもよい。
【００４２】
店舗によっては、商品の情報（商品名、価格など）をバーコード化したバーコードを商品のパッケージに印刷したり、バーコードを印刷したラベルなどを商品に貼り付けたりして管理する場合がある。
スキャナ１０９は、このように商品に付されているバーコードを読み取ことによってコードデータを取得する。取得されたコードデータは、例えばレジスタ本体部１０５が入力する。レジスタ本体部１０５は入力したコードデータを商品マスタなどのデータと照合して商品名、価格などを特定し、特定した商品名、価格などを利用して商品登録の処理を実行する。
【００４３】
図５は、レジスタ１００の構成例を示すブロック図である。同図において、図１〜図４と同一部分には同一符号を付して説明を省略する。同図に示すように、レジスタ１００は、図１〜図４により説明した釣銭機ユニット１０１、操作ユニット１０３、レジスタ本体部１０５、プリンタ１０７及びスキャナ１０９を備えて構成される。
【００４４】
先ず、レジスタ本体部１０５の構成について説明する。同図に示すレジスタ本体部１０５は、ＣＰＵ（Central Processing Unit）１５１、ＲＡＭ（Random Access Memory）１５２、記憶部１５３、入出力部１５４及びネットワークインターフェース１５５を備える。ＣＰＵ１５１、ＲＡＭ１５２、記憶部１５３、入出力部１５４及びネットワークインターフェース１５５は、バス１５６により接続されている。
【００４５】
ＣＰＵ１５１は、記憶部１５３に記憶されるプログラムを実行することにより、レジスタ１００としての各種機能を実現するための制御を実行する。
ＲＡＭ１５２は、ＣＰＵ１５１に対応する主記憶装置であり、ＣＰＵ１５１が処理を実行する際の作業領域として利用される。
記憶部１５３は、ＣＰＵ１５１に対応する補助記憶装置であり、ＣＰＵ１５１が利用する各種の情報を記憶する。
入出力部１５４は、レジスタ１００を構成するレジスタ本体部１０５以外のユニット（釣銭機ユニット１０１、操作ユニット１０３）やデバイス（プリンタ１０７、スキャナ１０９）などとの間で、データあるいは信号の入出力を行う部位である。
ネットワークインターフェース１５５は、例えば店舗内のＬＡＮ（Local Area Network）を経由して、店舗内の他の装置（例えば、マスタ装置、他のレジスタ、店員の携帯端末など）と通信を実行する。例えばネットワーク経由でマスタ装置などと接続されることで、本実施形態のレジスタ１００は、ＰＯＳ（Point Of Sales）レジスタとして機能させることができる。
【００４６】
釣銭機ユニット１０１における釣銭機１２０は、レジスタ本体部１０５の入出力部１５４との間でデータまたは信号の入出力が可能なように接続される。
【００４７】
また、操作ユニット１０３は、タッチパネル表示部１３１、キーボード１３２及び顧客用表示部１３３とともに、入出力部１３４を備える。
入出力部１３４は、操作ユニット１０３が備えるタッチパネル表示部１３１、キーボード１３２及び顧客用表示部１３３のそれぞれと、レジスタ本体部１０５の入出力部１５４との間でのデータまたは信号の入出力を行う部位である。
【００４８】
また、同図においては、入出力部１３４に対して、操作ユニット１０３の外部のプリンタ１０７及びスキャナ１０９が接続された例が示されている。即ち、同図に示す入出力部１３４は、プリンタ１０７とレジスタ本体部１０５の入出力部１５４との間でのデータまたは信号の入出力を行うようにもされている。同様に、入出力部１３４は、スキャナ１０９とレジスタ本体部１０５の入出力部１５４との間でのデータまたは信号の入出力を行うようにもされている。
なお、プリンタ１０７とスキャナ１０９との少なくともいずれか一方について、操作ユニット１０３の入出力部１３４を経由することなく、レジスタ本体部１０５の入出力部１５４と接続されるように構成されてもよい。
【００４９】
また、同図の釣銭機１２０とレジスタ本体部１０５の入出力部１５４とを接続するための通信線と、操作ユニット１０３の入出力部１３４とを接続するための通信線は、物理的には、図１に示したケーブルＣＢＬに含まれる。
【００５０】
上記のようにレジスタ本体部１０５の入出力部１５４が釣銭機１２０と接続されることで、レジスタ本体部１０５のＣＰＵ１５１は、釣銭機１２０を制御することができる。
また、レジスタ本体部１０５の入出力部１５４が操作ユニット１０３における入出力部１３４と接続されることで、レジスタ本体部１０５のＣＰＵ１５１は、タッチパネル表示部１３１またはキーボード１３２に対して行われた操作に応じた操作信号を入力し、操作に応答した所定の処理を実行することができる。また、ＣＰＵ１５１は、タッチパネル表示部１３１と顧客用表示部１３３とに対する表示制御を実行することができる。
さらに、レジスタ本体部１０５の入出力部１５４が操作ユニット１０３における入出力部１３４と接続されることで、ＣＰＵ１５１は、プリンタ１０７を制御し、スキャナ１０９により読み取られたバーコードに対応するコードデータを入力することができる。
【００５１】
図１〜図４にて説明したようにカウンタ２００に設置され、図５に示す構成を有するレジスタ１００は以下のように使用される。なお、ここでの説明は、レジスタ１００の設置される店舗がベーカリーショップ（パン屋）である場合を例に挙げる。
ベーカリーショップで顧客は、陳列されているパンのうちから購入したいパンを選んでトレーに載せる。顧客は、選んだパンを購入するために、パンが載せられたトレーを持ってレジスタ１００が設置されたカウンタの前まで移動する。このとき、顧客は、貨幣投入排出部１２１ａが向いているレジスタ１００の前方側で立つことになる。そして、顧客は、購入対象のパンが載せられたトレーを、レジスタ１００の後方にいる店員に渡す。
【００５２】
店員は、トレーに乗せられた商品を確認しながら操作ユニット１０３におけるタッチパネル表示部１３１やキーボード１３２、またはスキャナ１０９などを操作して、商品の登録と、登録した商品の合計金額の算出をレジスタ１００に行わせる。このような操作に応じて、レジスタ本体部１０５におけるＣＰＵ１５１は、商品登録の処理を実行する。また、ＣＰＵ１５１は、タッチパネル表示部１３１に対して、登録した商品、小計金額、合計金額などを随時表示させるための制御を実行する。また、ＣＰＵ１５１は、顧客用表示部１３３に対しても、合計金額などをはじめとして、顧客に提示すべき所定の内容を表示させる。
【００５３】
顧客は、合計金額を確認したうえで代金の支払いを以下のように行う。つまり、顧客は、合計金額以上の金額の貨幣（紙幣、硬貨）を貨幣投入排出部１２１ａにおける紙幣投入口や貨幣投入口などから投入する。
上記のように貨幣が投入されるのに応じて、釣銭機ユニット１０１における釣銭機１２０は、投入された貨幣の種別と、種別ごとの枚数を検出し、検出結果を示す投入貨幣情報をレジスタ本体部１０５に送信する。レジスタ本体部１０５のＣＰＵ１５１は、受信された投入貨幣情報に基づいて、投入された貨幣の総額（預かり金）を算出する。
なお、釣銭機１２０が預かり金を算出し、算出した預かり金をレジスタ本体部１０５に送信するようにしてもよい。
【００５４】
ここで、算出された預かり金が合計金額と等しければ、釣銭は不要である。そこで、この場合のレジスタ本体部１０５におけるＣＰＵ１５１は、釣銭機１２０から釣銭を排出させることなく、プリンタ１０７によりレシートが印刷されるように制御を実行する。
一方、算出された預かり金が合計金額より多い場合、レジスタ本体部１０５におけるＣＰＵ１５１は、預かり金から合計金額を減算して釣銭の金額を算出する。そして、ＣＰＵ１５１は、算出された金額分の貨幣が貨幣投入排出部１２１ａにおける紙幣排出口、硬貨排出口から釣銭として排出されるように釣銭機１２０を制御する。顧客は、排出された貨幣を釣銭として受け取る。
【００５５】
このようにして本実施形態のレジスタ１００を利用することにより、顧客が購入するパンについての取引を、顧客と店員とで対面式で行うことができる。そのうえで、本実施形態のレジスタ１００の場合、代金の支払いと釣銭の受け取りは、顧客と貨幣投入排出部１２１ａとの間で行われ、店員と顧客との間で貨幣が手渡しされることはない。つまり、店員は、現金を手に持って扱う必要がない。これにより、店員は現金を持った手でパンを持つことがなくなり、衛生面での向上が図られる。
【００５６】
また、レジスタ１００の筐体１１０の上面における後方側には物品載置面部１１５が形成される。店員は、上記のように商品を登録する操作を行うときや、商品を袋に入れるときなどに、物品載置面部１１５に商品や袋、スキャナ１０９などの物品を置くことができるため、作業能率が向上する。
【００５７】
続いて、レジスタ１００のカウンタ２００への設置作業の手順例について説明する。
図６は、釣銭機ユニット１０１を、前方より見た斜視図である。同図に示すように筐体１１０の上面において操作ユニット１０３が設置される設置領域ＡＲ内には、ケーブル用孔部１１１、１１２が形成されている。ケーブル用孔部１１１、１１２は、それぞれ、筐体１１０の上面に設置された操作ユニットの下側から引き出されるケーブルが筐体１１０の外側から内部に挿通されるようにするための孔部である。
また、設置領域ＡＲ内には、さらにネジ孔Ｈ１、Ｈ２、Ｈ３、Ｈ４が形成されている。
【００５８】
設置作業者は、例えば、筐体１１０に操作ユニット１０３を取り付けるにあたり、先ず、操作ユニット１０３の下側から引き出されているケーブルをケーブル用孔部１１１、１１２に挿通させて筐体１１０の外側から内部に通す。
そのうえで、設置作業者は、操作ユニット１０３を筐体１１０の上面における規定の位置に配置する。操作ユニット１０３が筐体１１０の上面において規定の位置に正しく配置された状態では、操作ユニット１０３側の下面において形成される４つのネジ孔のそれぞれの位置が、ネジ孔Ｈ１、Ｈ２、Ｈ３、Ｈ４と一致する。
なお、筐体１１０の上面における設置領域ＡＲと、操作ユニット１０３の下面とにおいて、位置決め用の凹凸部分などを形成することにより、筐体１１０の上面での操作ユニット１０３の位置決めが容易に行えるようにしてもよい。
そして、操作ユニット１０３が筐体１１０の上面において規定の位置に正しく配置された状態のもとで、設置作業者は、操作ユニット１０３側の下面において形成される４つのネジ孔とネジ孔Ｈ１、Ｈ２、Ｈ３、Ｈ４とのそれぞれが一致しいている部分のそれぞれをネジ止めする。なお、ネジの締め付けにあたっては、例えば設置作業者は、筐体１１０から釣銭機を外しておいたうえで、筐体１１０内からネジを差し込んで締め付けるようにすればよい。そして、設置作業者は、ネジの締め付けが完了したら、筐体１１０に釣銭機を収納すればよい。このようにして、釣銭機ユニット１０１に対して操作ユニット１０３が取り付けられる。
【００５９】
図７は、釣銭機ユニット１０１の筐体１１０の上面に操作ユニット１０３が取り付けられた状態を示す側面図である。なお、同図において、図３及び図４と同一部分については同一符号を付して説明を省略する。
【００６０】
同図に示すように釣銭機ユニット１０１の筐体１１０には釣銭機１２０が収納されている。釣銭機１２０は、釣銭機本体部１２１と釣銭機本体カバー部１２２とを備える。釣銭機本体部１２１は、筐体１１０の外部に表出する貨幣投入排出部１２１ａと、釣銭機本体カバー部１２２内の貨幣収納部１２１ｂとが一体化された部位である。
釣銭機本体部１２１は、同図に示すように貨幣投入排出部１２１ａの背面側が筐体１１０の前側面に当接している状態では、釣銭機本体部１２１を施錠することによって、釣銭機本体部１２１を釣銭機本体カバー部１２２から引き出せないようにすることができる。これにより、例えば鍵を持たない者が貨幣収納部１２１ｂから貨幣を抜き取るような不正行為を防止することができる。
【００６１】
そして、店員は、鍵などを使用して釣銭機本体部１２１を解錠したうえで、釣銭機本体部１２１を矢印Ａ１の方向に引き出すことができる。店員は、釣銭機本体部１２１を矢印Ａ１の方向に引き出した状態において、例えば貨幣収納部１２１ｂへの貨幣の補充または貨幣収納部１２１ｂからの貨幣の取り出しなどの作業を行うことができる。
【００６２】
ここで、筐体１１０の上面の内壁と釣銭機本体カバー部１２２の上面との間から、釣銭機本体カバー部１２２の背面部１２２ａと蓋部１１３との間にかけて空間Ｓが形成される。操作ユニット１０３の下側から筐体１１０のケーブル用孔部１１１、１１２を挿通したケーブルＣＢＬは、空間Ｓの中を引き回され、開口部１１４から筐体１１０の外部に引き出される。開口部１１４から筐体１１０の外部に引き出されたケーブルＣＢＬは、図１に示したように、レジスタ本体部１０５と接続される。
【００６３】
このように、操作ユニット１０３から引き出されたケーブルＣＢＬは、貨幣投入排出部１２１ａの前に立っている顧客からは見えないようにしてレジスタ本体部１０５まで引き回すことができる。
また、操作ユニット１０３の下側から引き出されるケーブルは、筐体１１０のケーブル用孔部１１１、１１２を挿通して筐体１１０の内部に収納される。これにより、操作ユニット１０３から引き出されるケーブルがレジスタ１００の周りで引き回されるようなことはなく、レジスタ１００の周りが煩雑にならず見栄えをよくすることができる。
【００６４】
また、設置作業者は、図７に示すように操作ユニット１０３が取り付けられ、かつ、釣銭機１２０が取り付けられた筐体１１０の後方の下側に対して、移動制限部材１４０を取り付ける作業を行う。
【００６５】
図８は、移動制限部材１４０の外観例を示す斜視図である。同図に示すように、移動制限部材１４０は、上面部１４１、側面部１４２（第２載置板受部の一例）及び下面部１４３（第１載置板受部の一例）を備える。上面部１４１と側面部１４２とは互いの長手方向の一方の端部が９０度の角度で連結されている。また、側面部１４２の他方の長手方向の端部は、上面部１４１と対向する位置関係となるように配置された下面部１４３の一方の長手方向の端部と９０度の角度で連結されている。
また、上面部１４１の他方の長手方向の端部には、上向きで９０度の角度により固定部１４５、１４６が設けられる。固定部１４５、１４６は、筐体１１０に移動制限部材１４０を取り付けるための部位である。固定部１４５にはネジ孔Ｈ１１、Ｈ１２が設けられ、固定部１４６にはネジ孔Ｈ１３、Ｈ１４が設けられる。
移動制限部材１４０の材質は、例えば鉄、アルミニウムなどをはじめとした金属や樹脂などを挙げることができるが、特に限定されるものではない。
【００６６】
図９を参照して、釣銭機ユニット１０１に対する移動制限部材１４０の取り付け方の一例について説明する。同図は、移動制限部材１４０が取り付けられた釣銭機ユニット１０１を後方側から見た斜視図である。なお、同図においては、図示を簡略にすることの便宜上、筐体１１０の上面に取り付けられた操作ユニット１０３の図示は省略している。
【００６７】
移動制限部材１４０の取り付けにあたり、設置作業者は、筐体１１０における後方側面を形成する蓋部１１３（図６）について開いた状態としておくようにする。この際、設置作業者は、蓋部１１３が取り外し可能であれば、取り外しておくようにしてもよい。同図では、蓋部１１３が取り外された状態が示されている。
【００６８】
筐体１１０に釣銭機１２０が収納された状態では、同図に示すように、筐体１１０内には、後面から所定の奥行きの長さの位置に釣銭機本体カバー部１２２の背面部１２２ａが位置する状態となる。釣銭機本体カバー部１２２の背面部１２２ａは、同図に示す位置にて筐体１１０内で固定的に位置する部位である。
そこで、設置作業者は、同図に示すように、筐体１１０の後方下側において、移動制限部材１４０の固定部１４５と固定部１４６とが釣銭機本体カバー部１２２の背面部１２２ａに当接するように移動制限部材１４０をあてがう。この状態では、移動制限部材１４０の側面部１４２がテーブル２０３の側面に沿い、さらに下面部１４３がテーブル２０３の下側に位置する状態となる。
また、上記の状態においては、移動制限部材１４０のネジ孔Ｈ１１、Ｈ１２、Ｈ１３、Ｈ１４と、釣銭機本体カバー部１２２の背面部１２２ａに設けられたネジ孔（図示せず）との位置が一致した状態となる。
【００６９】
そして、設置作業者は、上記のように移動制限部材１４０をあてがった状態において、ネジ孔Ｈ１１、Ｈ１２、Ｈ１３、Ｈ１４のそれぞれにネジを通してネジ止めを行う。これにより、移動制限部材１４０は、釣銭機ユニット１０１に対して固定された状態で取り付けられる。
設置作業者は、上記のように釣銭機ユニット１０１に対して移動制限部材１４０を固定した後に蓋部１１３を取り付ければよい。
【００７０】
図１０は、図９の状態から蓋部１１３が取り付けられた（閉じられた）状態の釣銭機ユニット１０１を示す斜視図である。このように蓋部１１３が閉じられた状態のもとでは、移動制限部材１４０の側面部１４２と下面部１４３とが開口部１１４から筐体１１０の外側に表出した状態である。
そして、開口部１１４からは、図１及び図３に示したようにケーブルＣＢＬが引き出される。つまり、蓋部１１３が閉じられることにより、筐体１１０の後方側面においてケーブルＣＢＬを通すのに必要な部分（即ち、開口部１１４）以外の部分を塞ぐことができる。
【００７１】
なお、同図では、蓋部１１３が閉じられた状態のもとで形成される開口部１１４は、筐体１１０の後方側面の下側において筐体１１０の内寸の横幅とほぼ一致する幅を有する部位として形成されている。しかし、開口部１１４は、蓋部１１３が閉じられた状態において、例えば、筐体１１０の後方側面の下側において筐体１１０の内寸の横幅より小さい幅を有する部位として形成されてもよい。このように、開口部１１４が内寸の横幅より小さい幅を有するようにして形成される場合、開口部１１４は、筐体１１０の幅方向において異なる位置に複数が形成されてもよい。
【００７２】
図１１は、上記のように移動制限部材１４０が取り付けられたレジスタ１００のテーブル２０３の上面への設置が完了した状態例を示す側面図である。なお、同図において、図１〜図１０と同一部分には同一符号を付して説明を省略する。
【００７３】
レジスタ１００のテーブル２０３に対する設置が完了し、レジスタ１００がテーブル２０３上で正しい位置に置かれた状態においては、筐体１１０の後方側面の下側において、移動制限部材１４０の下面部１４３がテーブル２０３の下面側と近接し、かつ、対向する状態となる。即ち、下面部１４３がテーブル２０３の下側に係止する状態となる。
【００７４】
また、同図においては、貨幣投入排出部１２１ａの下側において後方移動制限部材１１６が配置される。後方移動制限部材１１６は、筐体１１０の前方の下側に取り付けられる。後方移動制限部材１１６は、本体受板部１１６ａ、ガイド部１１６ｂ、前方受部１１６ｃ及び後方受部１１６ｄが一体化された構造である。
本体受板部１１６ａは、貨幣投入排出部１２１ａの下側において、貨幣投入排出部１２１ａの幅にほぼ沿って配置される板部である。そして、本体受板部１１６ａの両端部に沿うようにガイド部１１６ｂが設けられる。
これにより、貨幣投入排出部１２１ａの下側に本体受板部１１６ａが位置し、貨幣投入排出部１２１ａの左右の両側面の下側に沿ってガイド部１１６ｂが位置する状態となる。また、ガイド部１１６ｂが設けられることによって、本体受板部１１６ａについての補強が行われる。
【００７５】
また、前方受部１１６ｃは、本体受板部１１６ａの前方が延伸された部分により形成される。
後方受部１１６ｄは、断面がＬ字の形状を有する部材であって、本体受板部１１６ａの下方において、例えばネジ止めによって固定される。
そして、レジスタ１００がテーブル２０３上に置かれた状態では、図示するように、前方受部１１６ｃは貨幣投入排出部１２１ａの下側背面と当接し、後方受部１１６ｄはテーブル２０３の側面と当接している。このため、筐体１１０の矢印Ｂ１で示す後方への動きは前方受部１１６ｃと後方受部１１６ｄとにより制限され、同図に示す位置からずれてしまうことがない。
併せて、筐体１１０の後方においては、移動制限部材１４０の側面部１４２がテーブル２０３の後方側面とほぼ当接した状態となっている。即ち、側面部１４２がテーブル２０３の後方側面に係止した状態となっている。このように側面部１４２がテーブル２０３の後方側面に係止していることから、同図において矢印Ｂ１とは反対の矢印Ｂ２で示す前方への筐体１１０の動きも、移動制限部材１４０の側面部１４２により制限され、同図に示す位置からずれてしまうことがない。
【００７６】
このように、本実施形態においては、前方と後方とにおける筐体１１０の位置ずれが生じることが防止される。
なお、筐体１１０の前方への動きを制限する機構としては移動制限部材１４０による構成に限定されない。また、筐体１１０の後方への動きを制限する機構としても後方移動制限部材１１６による構成に限定されない。
【００７７】
また、釣銭機本体部１２１を矢印Ａ１の方向に引き出した場合、レジスタ１００の重心が貨幣投入排出部１２１ａ側に偏る。このために、矢印Ａ１の方向に引き出された部位の重さによって、同図において矢印Ａ２で示すように、筐体１１０の後方が上方向に浮き上がってしまうような状態となる。
【００７８】
しかし、同図に示すようにテーブル２０３に対してレジスタ１００が設置されている状態では、移動制限部材１４０の下面部１４３がテーブル２０３の下面側と近接し、かつ、対向している状態にある。つまり、移動制限部材１４０の下面部１４３はテーブル２０３の下面に係止する状態にある。これにより、例えば筐体１１０を上方向に移動させようとしても、移動制限部材１４０の下面部１４３はテーブル２０３の下面に当接した状態となり、筐体１１０上方向への移動が制限される。
従って、釣銭機本体部１２１が矢印Ａ１の方向に引き出されたことにより筐体１１０の後方が上方向に浮き上がろうとした場合にも、下面部１４３はテーブル２０３の下面にて係止した状態となる。従って、筐体１１０の後方は、移動制限部材１４０の下面部１４３がテーブル２０３の下面に係止したままの状態でこれ以上矢印Ａ２で示す上方向に浮き上がることがない。
つまり、レジスタ１００は、釣銭機本体部１２１が矢印Ａ１の方向に引き出されたとしても、移動制限部材１４０の下面部１４３によって、筐体１１０が浮き上がることなく、同図に示される位置状態を保つことができる。
これまでの説明から理解されるように、移動制限部材１４０は、側面部１４２により、顧客が立っている方向に釣銭機ユニット１０１が移動するのを規制し、下面部１４３により、釣銭機ユニット１０１が上方向へ移動するのを規制する。
【００７９】
上記のように、テーブル２０３に設置されたレジスタ１００は、移動制限部材１４０の下面部１４３がテーブル２０３の下面側と対向することで筐体１１０の上方向への移動が制限されている。しかし、レジスタ１００自体は、テーブル２０３に対して固定されてはいない。
このために、例えば図１１の状態から、後方受部１１６ｄを本体受板部１１６ａに固定しているネジを外して、後方受部１１６ｄを取り外すことによっては、釣銭機ユニット１０１を矢印Ｂ１で示す後方に移動させることが可能になる。
【００８０】
図１２は、図１１の状態から後方受部１１６ｄを取り外したうえで、釣銭機ユニット１０１を矢印Ｂ１で示す後方に移動させた状態を示している。同図に示すように、釣銭機ユニット１０１を後方に移動させた状態では、テーブル２０３の下面（載置板の下側）と移動制限部材１４０の下面部１４３とが上下方向において対向しない位置関係となる。つまり、移動制限部材１４０の下面部１４３は、テーブル２０３と係止する位置から外れる。これにより、レジスタ１００の上方向への移動の制限が解除され、レジスタ１００をテーブル２０３から容易に取り外すことができる。
これまでの説明から理解されるように、本実施形態のレジスタ１００は、釣銭機ユニット１０１の筐体１１０の部分をテーブル２０３の上に置けばよく、例えば釣銭機をカウンタに埋め込むような工事も必要がない。即ち、本実施形態のレジスタ１００は手軽に設置することが可能である。また、本実施形態のレジスタ１００は、テーブル２０３からの取り外しも容易である。
【００８１】
なお、後方移動制限部材１１６は省略されてもよい。筐体１１０に最も生じやすい動きとは、釣銭機本体部１２１を矢印Ａ１（図１１）の方向に引き出したことによって筐体１１０が上方向に浮き上がる動きである。一方、水平方向における筐体１１０の動きは生じにくい。例えば、引き出された状態の釣銭機本体部１２１を筐体１１０に収納するために、釣銭機本体部１２１を筐体１１０に押し込むときであっても、後方へのずれが生じることはほとんどない。これまでの説明から理解されるように、釣銭機本体部１２１を矢印Ａ１の方向に引き出したときの筐体１１０の上方向への移動は、移動制限部材１４０によって制限される。従って、移動制限部材１４０によって釣銭機本体部１２１を矢印Ａ１の方向に引き出したときの筐体１１０の移動さえ制限されていれば、後方移動制限部材１１６が省略されても、筐体１１０が安定してテーブル２０３に載置された状態を維持できる。
また、例えば移動制限部材１４０については、例えば釣銭機本体部１２１が引き出されたときの筐体１１０の上方向への移動を制限する部材と、筐体１１０の前方への移動を制限する部材とで分けられてもよい。
さらに、例えば、釣銭機本体部１２１が引き出されても筐体１１０が上方向または前方に移動しにくいように、レジスタ１００の重量や、釣銭機本体部１２１が引き出されたときの重心バランスなどが設定されていれば、移動制限部材１４０についても省略することができる。
さらに、先の説明では、本実施形態のレジスタ１００がパン屋で使用される例を挙げた。しかし、対面式で店員と顧客とが取引を行う店舗であれば、本実施形態のレジスタ１００を設置し、使用することができる。
また、貨幣投入排出部１２１ａは、例えば貨幣の投入と貨幣の排出とのいずれか一方のみが行われるような構成であってもよい。
また、本実施形態のレジスタ１００は対面型の取引に対応するが、レジスタ１００において貨幣投入排出部１２１ａが表出する筐体１１０の側面（第１側面）に対する入力デバイス（タッチパネル表示部１３１、キーボード１３２）の操作が行えるようにされた向きに対応する筐体１１０の側面（第２側面）の位置関係としては、必ずしも反対側でなくともよい。例えば、筐体１１０において第１側面と隣り合う左右いずれかの側面が第２側面となるようにされてもよい。
【００８２】
また、上述のレジスタ１００の機能を実現するためのプログラムをコンピュータ読み取り可能な記録媒体に記録して、この記録媒体に記録されたプログラムをコンピュータシステムに読み込ませ、実行することにより上述のレジスタとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００８３】
１００  レジスタ、１０１  釣銭機ユニット、１０３  操作ユニット、１０５  レジスタ本体部、１０７  プリンタ、１０９  スキャナ、１１０  筐体、１１１  ケーブル用孔部、１１３  蓋部、１１４  開口部、１１５  物品載置面部、１１６  後方移動制限部材、１１６ａ  本体受板部、１１６ｂ  ガイド部、１１６ｃ  前方受部、１１６ｄ  後方受部、１２０  釣銭機、１２１  釣銭機本体部、１２１ａ  貨幣投入排出部、１２１ｂ  貨幣収納部、１２２  釣銭機本体カバー部、１２２ａ  背面部、１３１  タッチパネル表示部、１３２  キーボード、１３３  顧客用表示部、１３４  入出力部、１４０  移動制限部材、１４１  上面部、１４２  側面部、１４３  下面部、１４５  固定部、１４６  固定部、１５１  ＣＰＵ、１５２  ＲＡＭ、１５３  記憶部、１５４  入出力部、１５５  ネットワークインターフェース、１５６  バス、２００  カウンタ、２０１  台部２０１、２０３  テーブル
【図１】
0006007949.tif 000002
【図２】
0006007949.tif 000003
【図３】
0006007949.tif 000004
【図４】
0006007949.tif 000005
【図５】
0006007949.tif 000006
【図６】
0006007949.tif 000007
【図７】
0006007949.tif 000008
【図８】
0006007949.tif 000009
【図９】
0006007949.tif 000010
【図１０】
0006007949.tif 000011
【図１１】
0006007949.tif 000012
【図１２】
0006007949.tif 000013